【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】  オーディオ／ビデオエンターテインメントシステムにおいて放送テレビジョンプログラムをデジタル式に記録するための方法であって、
少なくとも１つの放送テレビジョンプログラムに関係するプレビュー情報を含む拡張コンテンツ、および前記拡張コンテンツを前記少なくとも１つの放送テレビジョンプログラムに関連付けるイベント識別子を受信するステップと、
前記プレビュー情報およびセレクタボタンをビデオディスプレイ上に提示するステップと、
視聴者による前記セレクタボタンの選択に応答して、前記エンターテインメントシステムを、前記プログラムが実際に放送されるときに前記イベント識別子に関連付けられた前記放送テレビジョンプログラムに自動的に同調させるステップと、
前記放送テレビジョンプログラムを記憶媒体上にデジタル式に記録するステップと
を含むことを特徴とする方法。
【請求項２】  前記デジタル式に記録するステップが実行中の間に、第２の放送テレビジョンプログラムに同調させるステップをさらに含むことを特徴とする請求項１に記載の方法。
【請求項３】  前記ビデオディスプレイはテレビジョン受信器であることを特徴とする請求項１に記載の方法。
【請求項４】  前記プレビュー情報は未来の時間に放映されるスポーツテレビジョンプログラミングに対応することを特徴とする請求項１に記載の方法。
【請求項５】  ネットワーク環境に結合された少なくとも１つのクライアントシステムおよび１つの放送サーバを有する前記ネットワーク環境において使用するためのクライアントシステム上で動作するコンピュータプログラムであって、前記ネットワーク環境は、放送テレビジョンプログラミングを送達することができる分散環境であり、前記コンピュータプログラムは、
前記クライアントシステムに前記テレビジョンプログラミングを受信させ、かつ、前記テレビジョンプログラミングにおける前記プログラムの少なくとも１つについての所定の時間ログに対応する複数のプログラムインデックスを含む動的コンテンツを受信させるための、その中で実施されたコンピュータ可読コードを有するコンピュータ使用可能媒体と、
前記クライアントシステムに、少なくとも一部の前記テレビジョンプログラミングを少なくとも１つのプログラムセグメントとして記憶媒体上に格納させるためのコンピュータ可読コードと、
前記プログラムインデックスの１つを前記少なくとも１つのプログラムセグメントに関連付けるためのコンピュータ可読プログラムコードと、
前記少なくとも１つのプログラムセグメントについてのサーチを前記関連付けられたプログラムインデックスに基づいて実行するためのコンピュータ可読プログラムコードと、
前記クライアントシステムに前記少なくとも１つのテレビジョンプログラムセグメントを表示させるためのコンピュータ可読プログラムコードと
を含むことを特徴とするコンピュータプログラム。
【請求項６】  前記動的コンテンツは、前記動的コンテンツを少なくとも１つのユーザインターフェイスに関連付けるコントロールデータを含むことを特徴とする請求項５に記載のコンピュータプログラム。
【請求項７】  複数のプログラムセグメントを前記プログラムインデックスに基づいて作成するためのコンピュータ可読プログラムコードをさらに含むことを特徴とする請求項６に記載のコンピュータプログラム。
【請求項８】  第１のプログラムセグメントの終了から第２のプログラムセグメントの開始まで、前方スキップモード動作において自動的に前方スキップするためのコンピュータ可読プログラムコードをさらに含むことを特徴とする請求項７に記載のコンピュータプログラム。
【請求項９】  第２のプログラムセグメントの終了から第１のプログラムセグメントの開始まで、後方スキップモード動作において自動的に後方スキップするためのコンピュータ可読プログラムコードをさらに含むことを特徴とする請求項８に記載のコンピュータプログラム。
【請求項１０】  前記クライアントシステムによって受信された前記動的コンテンツがさらにイベントベースのインジケータを含み、前記コンピュータプログラムは、テレビジョンプログラムの記録時間を前記イベントベースのインジケータに基づいて調整するためのコンピュータ可読プログラムコードをさらに含むことを特徴とする請求項５に記載のコンピュータプログラム。
【請求項１１】  前記コンピュータプログラムは、前記記録時間を前記イベントベースのインジケータに基づいて延長するためのコンピュータ可読プログラムコードを含むことを特徴とする請求項１０に記載のコンピュータプログラム。
【請求項１２】  前記コンピュータプログラムは、テレビジョンプログラムの前記記録時間を前記イベントベースのインジケータに基づいて短縮するためのコンピュータ可読プログラムコードをさらに含むことを特徴とする請求項１０に記載のコンピュータプログラム。
【請求項１３】  前記クライアントシステムによって受信された前記動的コンテンツがイベントベースのインジケータを含み、前記コンピュータプログラムは、前記クライアントシステムに、前記イベントベースのインジケータの前記受信に基づいてテレビジョンプログラムを自動的に記録させるためのコンピュータ可読プログラムコードをさらに含むことを特徴とする請求項５に記載のコンピュータプログラム。
【請求項１４】  テレビジョンプログラムのためのデジタルビデオ記録の拡張を行うための方法であって、
前記プログラム中でプログラム特有のルールを満たすイベントにマーキングするプログラムイベントログインデックスを作成するステップと、
前記プログラムイベントログインデックスに関連付けられた１つ以上のコントロールファイルを作成して、クライアントシステムでのユーザ入力の受信を容易にするステップと、
前記プログラムイベントログインデックスおよび前記１つ以上のコントロールファイルを前記クライアントシステムに伝送して、ユーザ入力に応答して、前記クライアントシステムがインテリジェントフィルタを前記プログラムイベントログインデックスの処理に基づいて実行できるようにするステップと
を含むことを特徴とする方法。
【請求項１５】  前記プログラムイベントログインデックスは前記テレビジョンプログラムが放送されるときに作成されることを特徴とする請求項１４に記載の方法。
【請求項１６】  前記プログラムイベントログインデックスは前記クライアントシステムにリアルタイムで伝送されることを特徴とする請求項１５に記載の方法。
【請求項１７】  前記プログラムログインデックスは、ショーの前記記録の後に前記クライアントシステムに伝送されることを特徴とする請求項１５に記載の方法。
【請求項１８】  前記プログラム特有のルールは、スポーツイベント、フットボール、ニュースイベント、テレビジョン放送音楽プログラム、テレビジョン放送映画、プレビュープログラム、およびインフォマーシャルのうちの少なくとも１つに関係することを特徴とする請求項１４に記載の方法。
【請求項１９】  前記イベントログインデックスは、前記クライアントシステムが多数の再生モード動作を定義することができるフォーマットで伝送されることを特徴とする請求項１６に記載の方法。
【請求項２０】  前記プログラムイベントログインデックスは拡張可能マークアップ言語においてフォーマットされることを特徴とする請求項１４に記載の方法。
【請求項２１】  前記プログラムイベントログインデックスは、前記クライアントシステムにバッチモードで伝送されることを特徴とする請求項１４に記載の方法。
【請求項２２】  追加のバージョンの前記プログラムログインデックスは、前記クライアントシステムにバッチモードで伝送されることを特徴とする請求項１６に記載の方法。
【請求項２３】  前記イベントログインデックスは、ピアトゥピアネットワーキング環境において伝送されることを特徴とする請求項１６に記載の方法。
【請求項２４】  前記１つ以上のコントロールファイルは、前記クライアントシステムによって再生アプリケーションを作成するために使用されることを特徴とする請求項１６に記載の方法。
【請求項２５】  テレビジョンプログラミングを受信するように適合されたクライアントシステムにおいてビデオ記録拡張を処理するための方法であって、
前記テレビジョンプログラミングを受信するステップと、
前記テレビジョンプログラミングを記録されたプログラムとして格納するステップと、
前記テレビジョンプログラミングに適用された１つ以上の定義されたルールに従って開発されたプログラムイベントインデックスを受信するステップと、
前記プログラムイベントインデックスを前記記録されたプログラム中で対応するセグメントに関連付けるステップと
を含むことを特徴とする方法。
【請求項２６】  前記複数の定義されたルールの少なくとも１つは、イベントログが前記テレビジョンプログラミングにおけるあるアクションの発生において取り込まれることを必要とすることを特徴とする請求項２５に記載の方法。
【請求項２７】  １つ以上の記録されたテレビジョンプログラムを格納することができるデジタルビデオ記録装置において、インテリジェントスキップ機能を可能にするための方法であって、
テレビジョンプログラム特有のルールに従って開発された複数のプログラムイベントログインデックスを受信するステップと、
前記イベントログインデックスの少なくともあるものを、記録されたテレビジョンプログラム中で対応する間隔に関連付けるステップと、
前記対応する間隔を前記記録されたテレビジョンプログラム中で突き止めるステップと
を含むことを特徴とする方法。
【請求項２８】  前記受信するステップは、前記複数のプログラムイベントインデックスを含むインデックスファイルを受信することを含むことを特徴とする請求項２７に記載の方法。
【請求項２９】  前記インデックスファイルはコントロールデータをさらに含むことを特徴とする請求項２８に記載の方法。
【請求項３０】  インテリジェントスキップ動作を実行するように動作可能なデジタル記録装置であって、
デジタル記録を含む記憶媒体と、
複数のコンテキストセンシティブのプログラムインデックスを受信し、前記プログラムインデックスの少なくともあるものを前記記録の対応するセグメントに関連付けし、かつ、前記対応するセグメントを前記記録において突き止めるように適合されたデータ処理装置上で実行するデジタルビデオ記録エンジンと
を含むことを特徴とするデジタル記録装置。
【請求項３１】  デジタル式に記録されたプログラミングをオーディオ／ビデオエンターテインメントシステムにおいて再生するための方法であって、
前記デジタル式に記録されたプログラミングに関係する拡張コンテンツを受信するステップと、
前記デジタル式に記録されたプログラムに関係するインデックス情報を受信するステップと、
前記拡張コンテンツを前記インデックス情報に関連付けるステップと、
インタラクティブユーザインターフェイスをビデオディスプレイ上で作成するための機能を含む前記拡張コンテンツから再生アプリケーションを作成するステップと、
少なくとも１つのセレクタボタンを含む前記インタラクティブユーザインターフェイスを前記ビデオディスプレイ上で提示するステップと、
視聴者による前記セレクタボタンの選択に応答して、前記エンターテインメントシステムに前記複数のインデックスの少なくとも１つを自動的に突き止めさせるステップと、
前記少なくとも１つの突き止められたインデックスに対応する前記デジタル式に記録されたプログラミングを提示するステップと
を含むことを特徴とする方法。
【請求項３２】  前記インタラクティブユーザインターフェイスが提示されている間に、放送テレビジョンプログラミングを記録するステップをさらに含むことを特徴とする請求項３１に記載の方法。
【請求項３３】  前記再生アプリケーションは、マークアップ言語ファイル、グラフィックスファイル、ピクチャファイル、スクリプティングファイル、インデックスファイル、および他のデータを含むことを特徴とする請求項３１に記載の方法。
【請求項３４】  拡張コンテンツを受信する前記ステップおよびインデックス情報を受信する前記ステップは、前記プログラミングが放送された後に起こることを特徴とする請求項３１に記載の方法。
【請求項３５】  拡張コンテンツを受信する前記ステップおよびインデックス情報を受信する前記ステップは、プログラミングの放送中に起こることを特徴とする請求項３１に記載の方法。
【請求項３６】  ネットワーク環境に結合された少なくとも１つのクライアントシステムおよび１つの放送サーバを有する前記ネットワーク環境において使用するためのコンピュータプログラムであって、前記ネットワーク環境は、放送テレビジョンプログラミングを送達することができる分散環境であり、前記コンピュータプログラムは、
前記クライアントシステムに、記録されたテレビジョンプログラミングを格納させ、前記テレビジョンプログラミングにおける前記プログラムの少なくとも１つについての所定の時間ログに対応する複数のプログラムインデックスを含む動的コンテンツを格納させ、かつ、１つ以上のコントロールおよびデータファイルを格納させるための、その中で実施されたコンピュータ可読コードを有するコンピュータ使用可能媒体と、
前記受信された１つ以上のコントロールおよびデータファイルに基づいて前記クライアントシステムに再生アプリケーションプログラムを作成させるためのコンピュータ可読コードと、
前記アプリケーションプログラムに、前記プログラムインデックスの１つを記録されたテレビジョンプログラミングにおける位置と関連付けさせるためのコンピュータ可読プログラムコードと、
少なくとも１つのプログラム位置についてのサーチを前記関連付けられたプログラムインデックスに基づいて実行するためのコンピュータ可読プログラムコードと
を含むことを特徴とするコンピュータプログラム。
【請求項３７】  前記アプリケーションプログラムは、マークアップ言語ファイル、スクリプティングファイル、およびインデックスファイルを含むことを特徴とする請求項３６に記載のコンピュータプログラム。
【請求項３８】  前記アプリケーションプログラムは、グラフィックスファイル、ピクチャファイル、および他のデータをさらに含むことを特徴とする請求項３７に記載のコンピュータプログラム。
【請求項３９】  前記アプリケーションプログラムは、複数の記録されたプログラムをユーザの好みに従ってサーチするためのコンピュータ可読プログラムコードを含むことを特徴とする請求項３６に記載のコンピュータプログラム。
【請求項４０】  記録中の放送プログラムの記録時間を延長するデジタル記録および再生システムにおける方法であって、
前記放送プログラム中の拡張ユーザアラートおよび前記ユーザアラートを前記放送プログラムに関連付ける少なくとも１つの一意のイベント識別子を受信するステップと、
前記ユーザアラートを処理して、前記放送プログラムについて延長された記録時間を判断するステップと、
前記放送プログラムの前記記録時間を前記延長された記録時間に自動的に変更するステップと
を含むことを特徴とする方法。
【請求項４１】  テレビジョン放送スポーツイベントの判断された記録時間を変更するデジタル記録および再生システムにおける方法であって、
前記スポーツイベントについての持続時間に関係するメタデータを含むユーザアラート、および、前記ユーザアラートを前記テレビジョン放送スポーツイベントに関連付ける一意のイベント識別子を受信するステップと、
前記ユーザアラートを処理して、前記テレビジョン放送スポーツイベントについての変更された記録時間を判断するステップと、
前記テレビジョン放送スポーツイベントを前記変更された記録時間にわたって自動的に記録するステップと
を含むことを特徴とする方法。
【請求項４２】  テレビジョン放送イベントを自動的に記録するデジタル記録および再生システムにおける方法であって、
テレビジョン放送イベントに関係する推論的ユーザアラート、および、前記推論的ユーザアラートを前記テレビジョン放送イベントに関連付ける少なくとも１つのイベント識別子を受信するステップと、
前記推論的ユーザアラートを前記デジタルビデオ記録システムによって処理するステップと、
前記デジタルビデオ記録システムによって、前記イベントが前記推論的ユーザアラートに含まれた情報に基づいて記録されるべきことを判断するステップと、
前記テレビジョン放送イベントを自動的に記録するステップと
を含むことを特徴とする方法。